(57)【要約】【課題】  スイッチの誤操作防止を達成するとともにより機能的に構成されたスイッチ装置を提供すること。【解決手段】  回転式の操作部２１０を備えた第１スイッチ２００と、プッシュ式の操作部３１０，４１０を備えた第２スイッチ３００，４００と、第１スイッチ及び第２スイッチが配置されたケース体１０とを備え、第１スイッチの操作部は、その回転の中心となる本体部２１１と、本体部に設けられ且つ本体部の回転位置に応じて第２スイッチの操作部を遮蔽及び露出するシャッタ部２１２とを備え、ケース体は、シャッタ部の移動領域を含む凹部１１を備え、第２スイッチの操作部は、凹部の底面に位置する構成を採用した。電子装置たる電波修正式目覚し時計１においては、鳴止めスイッチを第１スイッチとし、目覚し信号発生スイッチ及び受信状況確認スイッチをそれぞれ第２スイッチとした。【選択図】図６
2005190926.tif 000002
【特許請求の範囲】
【請求項１】
回転式の操作部を備えた第１スイッチと、プッシュ式の操作部を備えた第２スイッチと、前記第１スイッチ及び前記第２スイッチが配置されたケース体とを備え、
前記第１スイッチの操作部は、その回転の中心となる本体部と、前記本体部に設けられ且つ前記本体部の回転位置に応じて前記第２スイッチの操作部を遮蔽及び露出するシャッタ部とを備え、
前記ケース体は、前記シャッタ部の移動領域を含む凹部を備え、
前記第２スイッチの操作部は、前記凹部の底面に位置することを特徴とするスイッチ装置。
【請求項２】
前記ケース体の表面にはプレートを装着し、
前記プレートは、前記第１スイッチの操作部の本体部を露出する第１開口部と、前記第２スイッチの操作部を露出する第２開口部とを備えたことを特徴とする請求項１記載のスイッチ装置。
【請求項３】
前記シャッタ部には係止片を設けるとともに、前記ケース体には前記係止片を移動可能に保持するガイド部を設けたことを特徴とする請求項１又は２記載のスイッチ装置。
【請求項４】
前記第２スイッチを複数備え、一方の前記第２スイッチが遮蔽されると他方の前記第２スイッチが露出され、一方の前記第２スイッチが露出されると他方の前記第２スイッチが遮蔽されることを特徴とする請求項１乃至３のいずれか記載のスイッチ装置。
【請求項５】
請求項１乃至４のいずれか記載のスイッチ装置を備えたことを特徴とする電子装置。
【請求項６】
当該電子装置は目覚し時計であり、
前記第１スイッチは、目覚し信号の発生及び停止を選択するための鳴止めスイッチであることを特徴とする請求項５記載の電子装置。
【請求項７】
前記第２スイッチは、前記目覚し信号を任意に発生させるための目覚し信号発生スイッチであることを特徴とする請求項６記載の電子装置。
【請求項８】
前記目覚し時計は、標準時刻電波を受信して時刻を修正する電波修正式のものであり、
前記第２スイッチは、前記標準時刻電波の受信状況を任意に確認するための受信状況確認スイッチであることを特徴とする請求項６又は７記載の電子装置。
【請求項９】
標準時刻電波を受信して時刻を修正する電波修正式目覚し時計において、
当該電波修正式目覚し時計は、目覚し信号の発生及び停止を選択するための鳴止めスイッチと、前記目覚し信号を任意に発生させるための目覚し信号発生スイッチと、前記標準時刻電波の受信状況を任意に確認するための受信状況確認スイッチとを備え、
前記鳴止めスイッチがＯＮのときは前記目覚し信号発生スイッチが露出されるとともに前記受信状況確認スイッチが遮蔽され、且つ前記鳴止めスイッチがＯＦＦのときは前記目覚し信号発生スイッチが遮蔽されるとともに前記受信状況確認スイッチが露出されることを特徴とする電波修正式目覚し時計。
【発明の詳細な説明】
【技術分野】
【０００１】
本発明は、スイッチの誤操作防止機能を有するスイッチ装置に関する。
【背景技術】
【０００２】
電子装置のスイッチとしては、場合に応じて操作が不要なもの又は操作を防止しなければならないものがある。特許文献１乃至３には、こうしたスイッチを必要に応じて操作不能とすることにより、その誤操作を防止する構成が開示されている。
【特許文献１】特開平５−３１４８５８号公報
【特許文献２】特開平５−７３１７８号公報
【特許文献３】特開平１０−１２５１５９号公報
【発明の開示】
【発明が解決しようとする課題】
【０００３】
さて、電子装置におけるスイッチについては、操作の容易化、目視による顕示性の向上、及び機械的強度の向上等が重要な課題とされており、前述したように誤作動を防止するものについても、これらの諸条件を踏まえつつ更なる構造的工夫が求められている。例えば特許文献２に開示されたスイッチは、一方のスイッチの操作部が他方のスイッチの操作部を覆うことにより、一方のスイッチの状態に応じて他方のスイッチを操作不能とするものである。しかるに、一方のスイッチの操作部は、操作力を加える部位であるつまみ部にて他方のスイッチの操作部を覆うので、操作性が悪いうえに、つまみ部が破損しやすいという不具合がある。
【０００４】
本発明は、かかる事情に鑑みてなされたものであり、その目的は、スイッチの誤操作防止を達成するとともにより機能的に構成されたスイッチ装置を提供することである。
【課題を解決するための手段】
【０００５】
本願第１請求項に記載した発明は、回転式の操作部を備えた第１スイッチと、プッシュ式の操作部を備えた第２スイッチと、前記第１スイッチ及び前記第２スイッチが配置されたケース体とを備え、前記第１スイッチの操作部は、その回転の中心となる本体部と、前記本体部に設けられ且つ前記本体部の回転位置に応じて前記第２スイッチの操作部を遮蔽及び露出するシャッタ部とを備え、前記ケース体は、前記シャッタ部の移動領域を含む凹部を備え、前記第２スイッチの操作部は、前記凹部の底面に位置する構成のスイッチ装置である。
【０００６】
本願第２請求項に記載した発明は、請求項１において、前記ケース体の表面にはプレートを装着し、前記プレートは、前記第１スイッチの操作部の本体部を露出する第１開口部と、前記第２スイッチの操作部を露出する第２開口部とを備えた構成のスイッチ装置である。
【０００７】
本願第３請求項に記載した発明は、請求項１又は２において、前記シャッタ部には係止片を設けるとともに、前記ケース体には前記係止片を移動可能に保持するガイド部を設けたことを特徴とする請求項１又は２記載のスイッチ装置。
【０００８】
本願第４請求項に記載した発明は、請求項１乃至３のいずれかにおいて、前記第２スイッチを複数備え、一方の前記第２スイッチが遮蔽されると他方の前記第２スイッチが露出され、一方の前記第２スイッチが露出されると他方の前記第２スイッチが遮蔽される構成のスイッチ装置である。
【０００９】
本願第５請求項に記載した発明は、請求項１乃至４のいずれか記載のスイッチ装置を備えた構成の電子装置である。
【００１０】
本願第６請求項に記載した発明は、請求項５において、当該電子装置は目覚し時計であり、前記第１スイッチは、目覚し信号の発生及び停止を選択するための鳴止めスイッチである構成の電子装置である。
【００１１】
本願第７請求項に記載した発明は、請求項６において、前記第２スイッチは、前記目覚し信号を任意に発生させるための目覚し信号発生スイッチであることを特徴とする電子装置である。
【００１２】
本願第８請求項に記載した発明は、請求項６又は７において、前記目覚し時計は、標準時刻電波を受信して時刻を修正する電波修正式のものであり、前記第２スイッチは、前記標準時刻電波の受信状況を任意に確認するための受信状況確認スイッチである構成の電子装置である。
【００１３】
本願第９請求項に記載した発明は、標準時刻電波を受信して時刻を修正する電波修正式目覚し時計において、当該電波修正式目覚し時計は、目覚し信号の発生及び停止を選択するための鳴止めスイッチと、前記目覚し信号を任意に発生させるための目覚し信号発生スイッチと、前記標準時刻電波の受信状況を任意に確認するための受信状況確認スイッチとを備え、前記鳴止めスイッチがＯＮのときは前記目覚し信号発生スイッチが露出されるとともに前記受信状況確認スイッチが遮蔽され、且つ前記鳴止めスイッチがＯＦＦのときは前記目覚し信号発生スイッチが遮蔽されるとともに前記受信状況確認スイッチが露出される構成の電波修正式目覚し時計である。
【発明の効果】
【００１４】
本発明によれば、スイッチの誤操作防止を達成するとともにより機能的に構成されたスイッチ装置を得ることができる。
【発明を実施するための最良の形態】
【００１５】
以下に、本発明の具体例を図面に基づいて詳細に説明する。図１乃至図３に示す電子装置は、標準時刻電波を受信して時刻を修正する電波修正式目覚し時計１である。この電波修正式目覚し時計１は、ケース体１０の正面に時刻表示部２０を設けるとともに、時刻表示部２０の後部にムーブメント３０を配置し、指針パイプ３０ａを介してムーブメント３０と連結された時針３１、分針３２、秒針３３、及び目安針３４を時刻表示部２０において回転する構成となっている。また、ケース体１０の内部には、所要のプログラムを格納した制御手段４０、及び標準時刻電波を受信する受信手段５０が設けられている。制御手段４０は、受信手段５０にて受信した標準時刻電波に基づいてカウント時刻を修正し、そのカウント時刻に従ってムーブメント３０を制御する。つまり、制御手段４０がカウントする正確な時刻が時針３１、分針３２、及び秒針３３にて表示される。目安針３４は、目覚し信号の発生時刻を表示するものである。制御手段４０は、ムーブメント３０から出力される目安針３４の位置がカウント時刻と一致すると、不図示のスピーカから目覚し信号たる報知音を発生させる。尚、図中の６０は、時刻表示部２０をライトアップする発光手段である。発光手段６０は、目覚し信号の発生とともに点灯される。この発光手段６０は、ケース体１０の要所に光センサを設けて、辺りが暗くなると点灯するように構成してもよい。また、当該電波修正式目覚し時計１の操作は、ケース体１０の背面に設けられたコントロール部７０にて行われる。コントロール部７０は、各種スイッチ及び目安針３４を回転させる針合せを列設して構成されている。各種スイッチは、制御手段４０と接続されている。
【００１６】
図４に示すように、コントロール部７０には、目覚し信号の発生及び停止を選択するための鳴止めスイッチ２００と、目覚し信号を任意に発生させるための目覚し信号発生スイッチ３００と、標準時刻電波の受信状況を任意に確認するための受信状況確認スイッチ４００とが設けられている。目覚し信号は、鳴止めスイッチがＯＮの際に発生され、ＯＦＦの際は発生されない。本例の受信状況確認スイッチ４００は、これを押すとスピーカから所定の確認音が発生する、又は発光手段６０が所定のパターンで点灯するものである。標準時刻電波の受信状況は、確認音又は発光手段６０の点灯パターンにより確認することが可能となっている。尚、その他のスイッチの説明は省略する。
さて本例の場合、目覚し信号発生スイッチ３００及び受信状況確認スイッチ４００は、制御の関係上、鳴止めスイッチ２００のＯＮ／ＯＦＦに応じて操作が不要なもの又は操作を防止しなければならないものとなっている。例えば、鳴止めスイッチ２００がＯＦＦの際に目覚し信号発生スイッチ３００を操作しても、目覚し信号は発生されないので、使用者がこれを故障と誤解する場合も考えられる。そこで本例においては、目覚し信号発生スイッチ３００及び受信状況確認スイッチ４００の誤操作を防止すべく、鳴止めスイッチ２００、目覚し信号発生スイッチ３００、及び受信状況確認スイッチ４００を関連付けてなるスイッチ装置１００を設けた。以下、かかるスイッチ装置１００について説明する。
【００１７】
本例のスイッチ装置１００は、回転式の操作部２１０を備えた鳴止めスイッチ２００（第１請求項における第１スイッチ）と、プッシュ式の操作部３１０を備えた目覚し信号発生スイッチ３００（第１請求項における第２スイッチ）と、プッシュ式の操作部４１０を備えた受信状況確認スイッチ４００（第１請求項における第２スイッチ）とをケース体１０に配置して構成されている。
鳴止めスイッチ２００の操作部２１０は、その回転の中心となる本体部２１１と、本体部２１１に設けられ且つ本体部２１１の回転位置に応じて目覚し信号発生スイッチ３００の操作部３１０と受信状況確認スイッチ４００の操作部４１０とをそれぞれ遮蔽及び露出するシャッタ部２１２とを備えている。具体的には、鳴止めスイッチ２００がＯＮのときは目覚し信号発生スイッチ３００が露出されるとともに受信状況確認スイッチ４００が遮蔽され（図４（ａ）参照）、且つ鳴止めスイッチ２００がＯＦＦのときは目覚し信号発生スイッチ３００が遮蔽されるとともに受信状況確認スイッチ４００が露出される（図４（ｂ）参照）。鳴止めスイッチ２００を操作する操作力は、本体部２１１に加えられる。
図５乃至図７に示すように、ケース体１０の要所には、鳴止めスイッチ２００、目覚し信号発生スイッチ３００、及び受信状況確認スイッチ４００を配置する凹部１１が設けられている。この凹部１１は、シャッタ部２１２の移動領域を含むものであり、目覚し信号発生スイッチ３００の操作部３１０及び受信状況確認スイッチ４００の操作部４１０は、凹部の底面に位置する構成となっている。図５中の１１ａは鳴止めスイッチ２００の操作部２１０の本体部２１１を嵌め込むボス部、１１ｂは目覚し信号発生スイッチ３００の操作部３１０を嵌め込むボス部、１１ｃは受信状況確認スイッチ４００の操作部を嵌め込むボス部を示している。
【００１８】
コントロール部７０に該当するケース体１０の表面には、コントロール部７０の銘板となるプレート７１を装着している。図８に示すように、プレート７１は、鳴止めスイッチ２００の操作部２１０の本体部２１１を露出する第１開口部７１ａと、目覚し信号発生スイッチ３００の操作部３１０及び受信状況確認スイッチ４００の操作部４１０を露出する第２開口部７１ｂとを備えている。シャッタ部２１２は、第２開口部７１ｂにおいて露呈される。
【００１９】
また本例の場合、シャッタ部２１２の先端には係止片２１３を設けるとともに、ケース体１０には係止片２１３を移動可能に保持するガイド部１１ｂを設けている。更に、シャッタ部２１２の要所には、ケース体１０との間隔を規制する突部２１２ａを設けている。このような構成によると、シャッタ部２１２の移動がより安定化するという利点がある。
【００２０】
鳴止めスイッチ２００の操作部２１０は、その本体部２１１の要所にスイッチ素子２２０の移動部２２１と系合する系合部２１１ａが設けられたものである。スイッチ素子２２０は、ケース体１０の内部に支持されており、鳴止めスイッチ２００の操作部２１０の正逆回転に応じて移動部２２１が正逆方向に直線移動する構成となっている。図９には、鳴止めスイッチ２００の操作部２１０の具体的形状を示し、図１０には、この操作部２１０とスイッチ素子２２０と関係を示す。
【００２１】
また、目覚し信号発生スイッチ３００の操作部３１０及び受信状況確認スイッチ４００の操作部４１０は、ケース体１０の内部に設けられた基盤５００に対してそれぞれ離合可能に設けられている。目覚し信号発生スイッチ３００及び受信状況確認スイッチ４００は、操作部３１０，４１０に操作力が加えられるとこれがケース体１０の内側に向かって没入し、操作部３１０，４１０の要所に設けられた接点３１１，４１１が基盤側に設けられた接点５１０，５２０と接触して投入されるものである。
【００２２】
以上説明したように、本例のスイッチ装置は、回転式の操作部を備えた第１スイッチたる鳴止めスイッチと、プッシュ式の操作部を備えた第２スイッチたる目覚し信号発生スイッチ及び受信状況確認スイッチと、第１スイッチ及び第２スイッチが配置されたケース体とを備え、第１スイッチの操作部は、その回転の中心となる本体部と、本体部に設けられ且つ本体部の回転位置に応じて第２スイッチの操作部を遮蔽及び露出するシャッタ部とを備え、ケース体は、シャッタ部の移動領域を含む凹部を備え、第２スイッチの操作部は、凹部の底面に位置する構成のスイッチ装置である。このような構成によると、第２スイッチの誤作動を防止することができる。また、かかるスイッチ装置は、操作の容易化、目視による顕示性の向上、及び機械的強度の向上等を達成すべく各要件を概括してなるものであり、従来のものと比較すると極めて機能的なものとなっている。尚、本例における各部の構成は、特許請求の範囲に記載した技術的範囲において適宜に設計変更が可能であり、図例説明したものに限定されないことは勿論である。また、本例のスイッチ装置の構成は、パソコンやオーディオ機器等の各種電子装置のスイッチに応用することも可能である。
【産業上の利用可能性】
【００２３】
本発明のスイッチ装置は、電波修正式目覚し時計、パソコン、及びオーディオ器機等の電子装置に用いられるスイッチ装置として好適に利用することが可能である。
【図面の簡単な説明】
【００２４】
【図１】本発明の実施例に係り、目覚し時計を示す正面図である。
【図２】本発明の実施例に係り、目覚し時計を示す背面図である。
【図３】本発明の実施例に係り、目覚し時計を示す側面断面図である。
【図４】本発明の実施例に係り、コントロール部を示す正面図であり、（ａ）は第１スイッチがＯＦＦの状態、（ｂ）は第１スイッチがＯＮの状態を示す。
【図５】本発明の実施例に係り、（ａ）はケース体の要部を示す正面図、（ｂ）は（ａ）のＸ−Ｘ断面図、（ｃ）は（ａ）のＹ−Ｙ断面図である。
【図６】本発明の実施例に係り、スイッチ装置の要部を示す断面図である。
【図７】本発明の実施例に係り、スイッチ装置の要部を示す断面図である。
【図８】本発明の実施例に係り、プレートを示す正面図である。
【図９】本発明の実施例に係り、第１スイッチの操作部を示し、（ａ）はその正面図、（ｂ）は（ａ）の側面断面図、（ｃ）は(ａ)の背面図、（ｄ）は（ａ）の下面図である。
【図１０】本発明の実施例に係り、（ａ）は第１スイッチを示す正面図、（ｂ）は第１スイッチを示す側面図である。
【符号の説明】
【００２５】
１    電波修正式目覚し時計
１０    ケース体
２０    時刻表示部
３０    ムーブメント
３１    時針
３２    分針
３３    秒針
３４    目安針
４０    制御手段
５０    受信手段
６０    発光手段
７０    コントロール部
７１    プレート
７１ａ    第１開口部
７１ｂ    第２開口部
１００    スイッチ装置
２００    鳴止めスイッチ
２１０    操作部
２１１    本体部
２１１ａ    係合部
２１２    シャッタ部
２１２ａ    突部
２１３    係止片
２２０    スイッチ素子
２２１    移動部
３００    目覚し信号発生スイッチ
３１０    操作部
３１１    接点
４００    受信状況確認スイッチ
４１０    操作部
４１１    接点
５００    基盤
５１０    接点
５２０    接点
【図１】
2005190926.tif 000003
【図２】
2005190926.tif 000004
【図３】
2005190926.tif 000005
【図４】
2005190926.tif 000006
【図５】
2005190926.tif 000007
【図６】
2005190926.tif 000008
【図７】
2005190926.tif 000009
【図８】
2005190926.tif 000010
【図９】
2005190926.tif 000011
【図１０】
2005190926.tif 000012